(57)【特許請求の範囲】
【請求項１】
浴室出入口を形成する開口枠の下枠の浴室側に固定部を設け、該下枠の浴室に隣接する脱衣室側に床取付け部を設け、床パンの脱衣室側の端部に下枠受け部材を取付け、下枠受け部材に、床パンの脱衣室側の端よりも脱衣室側の方向に突出し且つ床パンの上面よりも下方に位置する受け横片部と、受け横片部の床パン側の突出基部から床パンの脱衣室側の端部の上面付近に至るまで上方に突出した浴室側突部と、受け横片部の突出先部から上方に突出した脱衣室側突部とを設け、下枠受け部材に前記受け横片部と浴室側突部と脱衣室側突部とからなる凹部を形成し、脱衣室側突部の浴室側の側面の上部を上方に行くに従って脱衣室側に位置するように傾斜するガイド傾斜面とし、下枠の固定部を上方から下枠受け部材のガイド傾斜面によりガイドして凹部に嵌め込み、弾性を有する水封止部材を前記下枠の固定部の外面と凹部の内面との間に圧縮した状態で介在させ、下枠の床取付け部を脱衣室の床に取付け、下枠の固定部の浴室側の側面の上部に設けた化粧カバー取付け部に化粧カバーの脱衣室側の端部に設けた下枠取付け部を取付け、該化粧カバーにて下枠の化粧カバー取付け部から床パンの脱衣室側の端部に至るまでの部位の上面を覆うものであり、上記水封止部材は下枠の固定部の浴室側の側面と凹部の浴室側の内側面との間に圧縮状態で介在させたものであって、上記受け横片部に受け横片部とは別体の脱衣室側突部を受け横片部の基先方向に移動自在に載置し、該脱衣室側突部を固定手段により受け横片部の突出先部における基先方向の任意の位置で固定し、該脱衣室側突部と上記浴室側突部とで下枠の固定部を挟持して成ることを特徴とする浴室の出入口を形成する開口枠の取付け構造。
【請求項２】
上記受け横片部の突出先端部に垂上片を立設し、垂上片に雌ねじ孔を形成し、該雌ねじ孔に螺合したねじ具の先端で上記脱衣室側突部を浴室側に押圧し、該脱衣室側突部の浴室側の側面で下枠の固定部を浴室側に押圧して成ることを特徴とする請求項１記載の浴室の出入口を形成する開口枠の取付け構造。
【請求項３】
上記水封止部材は下枠の固定部の浴室側の側面と凹部の浴室側の内側面との間に圧縮状態で介在させたものであって、下枠の固定部の浴室側の側面に収納溝部を設け、収納溝部に水封止部材を収納し、該収納溝部に収納された水封止部材を収納溝部の上下底面及び奥面と凹部の浴室側の内側面とで圧縮して成ることを特徴とする請求項１又は請求項２のいずれかに記載の浴室の出入口を形成する開口枠の取付け構造。
【発明の詳細な説明】
【技術分野】
【０００１】
本発明は、浴室出入り口を形成する開口枠の取付け構造に関するものである。
【背景技術】
【０００２】
従来から浴室と該浴室に平面視で隣接する脱衣室とを連絡する開口枠を施工するにあたって、以下に示す開口枠の取付け構造が知られている。この取付け構造としては、例えば浴室出入口を形成する開口枠の下枠に固定部を設け、床パンの脱衣室側の端部を断面上向きコ字状に折り曲げて上方に開口する凹部を形成し、該凹部の脱衣室側の内側面の上部を上側程脱衣室側に位置するように傾斜するガイド傾斜面とし、下枠の固定部を前記ガイド傾斜面によりガイドして上方から凹部に嵌入するものが知られており、このものは上記のように下枠の凹部に嵌め込んだ固定部の浴室側の側面と凹部の浴室側の内側面とで弾性を有する水封止部材を圧縮しており、この固定部と凹部との間に圧縮状態で介在させた水封止部材により、下枠の固定部の浴室側の端部と床パンとの間から凹部内、延いては外部に水が流出することを防止している（例えば特許文献１）。
【０００３】
しかしながら上記特許文献１に示す従来例にあっては、固定部の浴室側の端部の上端部と凹部の浴室側の側面の上端部との間に隙間が形成されるため、この隙間が浴室側に露出して外観が阻害されるという問題があり、また下枠の嵌め込み部を凹部に嵌入した際には前記取付け部と凹部の間に介在する水封止部材が圧縮されて前記隙間からはみ出てしまうことがあり、この点でも外観を阻害する原因となっていた。
【特許文献１】特開２００３−１５５８７５号公報
【発明の開示】
【発明が解決しようとする課題】
【０００４】
本発明は上記従来の問題点に鑑みて発明したものであって、下枠の固定部の浴室側の側面の上端部と凹部の浴室側の側面の上端部との間に形成される隙間を上方から覆い隠した状態で開口枠を収まり良く取付けることができ、しかもこの隙間から下枠の固定部と凹部とで圧縮された水封止部材がはみ出た場合にも、このはみ出た水封止部材を覆い隠すことができ、見栄えの良い開口枠の取付け構造を提供することを課題とするものである。
【課題を解決するための手段】
【０００５】
上記課題を解決するために本発明に係る浴室の出入口を形成する開口枠の取付け構造は、浴室出入口を形成する開口枠１の下枠２の浴室側に固定部６を設け、該下枠２の浴室に隣接する脱衣室側に床取付け部４を設け、床パン２０の脱衣室側の端部に下枠受け部材５を取付け、下枠受け部材５に、床パン２０の脱衣室側の端よりも脱衣室側の方向に突出し且つ床パン２０の上面よりも下方に位置する受け横片部３１と、受け横片部３１の床パン２０側の突出基部から床パン２０の脱衣室側の端部の上面付近に至るまで上方に突出した浴室側突部３２と、受け横片部３１の突出先部から上方に突出した脱衣室側突部３３とを設け、下枠受け部材５に前記受け横片部３１と浴室側突部３２と脱衣室側突部３３とからなる凹部３４を形成し、脱衣室側突部３３の浴室側の側面の上部を上方に行くに従って脱衣室側に位置するように傾斜するガイド傾斜面４１とし、下枠２の固定部６を上方から下枠受け部材５のガイド傾斜面４１によりガイドして凹部３４に嵌め込み、弾性を有する水封止部材４３（６３）を前記下枠２の固定部６の外面と凹部３４の内面との間に圧縮した状態で介在させ、下枠２の床取付け部４を脱衣室の床３に取付け、下枠２の固定部６の浴室側の側面の上部に設けた化粧カバー取付け部に化粧カバー４４の脱衣室側の端部に設けた下枠取付け部を取付け、該化粧カバー４４にて下枠２の化粧カバー取付け部から床パン２０の脱衣室側の端部に至るまでの部位の上面を覆うものであり、上記水封止部材４３は下枠２の固定部６の浴室側の側面と凹部３４の浴室側の内側面との間に圧縮状態で介在させたものであって、上記受け横片部３１に受け横片部３１とは別体の脱衣室側突部３３を受け横片部３１の基先方向に移動自在に載置し、該脱衣室側突部３３を固定手段により受け横片部３１の突出先部における基先方向の任意の位置で固定し、該脱衣室側突部３３と上記浴室側突部３２とで下枠２の固定部６を挟持することを特徴とする。
【０００６】
このように化粧カバー４４にて下枠２の固定部６から床パン２０の脱衣室側の端部に至るまでの部位の上面を覆うことで、下枠２の固定部６と下枠受け部材５の浴室側突部３２との間に形成される隙間Ａ、下枠受け部材５の浴室側突部３２の上面、浴室側突部３２と床パン２０との間に形成される隙間Ｂ、床パン２０の脱衣室側の端部、の全てを覆い隠すことができ、これにより下枠２を収まり良く取付けることができる。また仮に下枠２の固定部６と凹部３４の内面とで圧縮された水封止部材４３が隙間Ａから浴室側突部３２の上面側にはみ出た場合にも、このはみ出た水封止部材４３を化粧カバー４４で覆うことができ、外観が損なわれることがない。
【０００８】
また脱衣室側突部３３を固定手段により受け横片部３１の突出先部における基先方向の任意の位置で固定し、該脱衣室側突部３３と上記浴室側突部３２とで下枠２の固定部６を挟持することで、下枠２、下枠受け部材５、床パン２０、床３の寸法にばらつきがあったり、また施工誤差がある場合にも、浴室側突部３２と脱衣室側突部３３とで下枠２の固定部６を確実に挟持でき、これにより下枠２の固定部６の浴室側の側面と凹部３４の浴室側の内側面との間に介在させた水封止部材４３を確実に圧縮できて、防水性を向上できる。
【０００９】
また上記受け横片部３１の突出先端部に垂上片３８を立設し、垂上片３８に雌ねじ孔３９を形成し、該雌ねじ孔３９に螺合したねじ具４２の先端で上記脱衣室側突部３３を浴室側に押圧し、該脱衣室側突部３３の浴室側の側面で下枠２の固定部６を浴室側に押圧することも好ましい。
【００１０】
簡単な構成で脱衣室側突部３３を受け横片部３１の突出先部における基先方向の任意の位置で固定し、脱衣室側突部３３と上記浴室側突部３２とで下枠２の固定部６を挟持することができ、コストを抑えることができる。
【００１１】
また上記水封止部材４３は下枠２の固定部６の浴室側の側面と凹部３４の浴室側の内側面との間に圧縮状態で介在させたものであって、下枠２の固定部６の浴室側の側面に収納溝部１１を設け、収納溝部１１に水封止部材４３を収納し、該収納溝部１１に収納された水封止部材４３を収納溝部１１の上下底面及び奥面と凹部３４の浴室側の内側面とで圧縮することも好ましい。
【００１２】
圧縮された水封止部材４３が収納溝部１１の上下底面及び奥面と、凹部３４の浴室側の内側面に押しつけられることとなり、より一層防水性を向上できる。
【発明の効果】
【００１３】
本発明では、下枠の固定部と凹部との間に形成される隙間を上方から覆い隠した状態で開口枠を収まり良く取付けることができ、しかもこの隙間から下枠の固定部と凹部とで圧縮された水封止部材がはみ出た場合にも、このはみ出た水封止部材を覆い隠すことができ、外観を向上できる。また下枠、下枠受け部材、床パン、脱衣室の床の寸法にばらつきがあったり、また施工誤差がある場合にも、下枠の固定部を確実に挟持でき、これにより下枠の固定部の浴室側の側面と凹部の浴室側の内側面との間に介在させた水封止部材を確実に圧縮できて、防水性を向上できる。
【発明を実施するための最良の形態】
【００１４】
以下、本発明を添付図面に示す実施形態に基いて説明する。なお以下の説明では下枠の幅方向における図１のイに示す方向を浴室側とし、ロに示す浴室側とは反対の方向を脱衣室側とする。
【００１５】
図１に本実施形態の開口枠１の取付け構造を示す。矩形状の開口枠１には図示しないドアを開閉自在に取付けている。開口枠１の下枠２は、脱衣室の床３に取付けた脱衣室側の床取付け部４と、後述する下枠受け部材５に固定された浴室側の固定部６と、床取付け部５と固定部６とを連結する連結部７とからなる。
【００１６】
床取付け部４は連結部７の脱衣室側の端部から脱衣室側に突出する固定横片８からなり、該固定横片８は固着具９により脱衣室の床３に固着されている。
【００１７】
固定部６は、脱衣室側の端部の上端を連結部７の浴室側の端部に接続した断面略矩形枠状の固定部本体１０で主体を構成してある。固定部本体１０（固定部６）の浴室側の側面には浴室側に開口する収納溝部１１を形成してある。この収納溝部１１は、固定部本体１０の浴室側の側面の下端部から浴室側に突出する下側リブ１２と、固定部本体１０の浴室側の側面の上部から浴室側に突出する上側リブ１３と、両リブ１２、１３間に位置する固定部本体１０の浴室側の側面部とからなる。また固定部本体１０（固定部６）の浴室側の側面の上部には化粧カバー取付け部となる凹溝部１４を形成してある。凹溝部１４は、上側リブ１３と、上側リブ１３の先端部から上向きに突出した突片部１５と、突片部１５に対向する固定部本体１０の浴室側の側面部とからなる。
【００１８】
また固定部本体１０の下端の浴室側の端部及び脱衣室側の端部の夫々には下方に載置リブ１６、１７を垂設している。両載置リブ１６、１７の内、脱衣室側の載置リブ１７の下端部には脱衣室側に突出する載置横片部１８を接続してあり、更に載置横片部１８の脱衣室側の端部には立ち上げ片部１９を立設している。なお上記下枠２の各部位は一体に形成されているものとする。
【００１９】
一方、浴室の床を構成する床パン２０は平面視矩形状で平板状の床板部２１を有し、床板部２１の脱衣室側の側端は脱衣室の床３の浴室側の端よりも浴室側に離れてある。床板部２１の外周端よりもやや内側に引き込んだ位置には床板部２１の外周に沿う垂下リブ２２を設けている。
【００２０】
床パン２０の脱衣室側の端部には長手方向の長さが下枠２と同じで床パン２０とは別体の長尺な下枠受け部材５を床板部２１の脱衣室側の一辺に沿って取付けている。
【００２１】
下枠受け部材５は床パン２０に取付けた浴室側の床パン取付け部２３と、下枠２の固定部６が載置固定される脱衣室側の下枠受け部２４とで構成してある。床パン取付け部２３は床板部２１の下方で且つ床板部２１の脱衣室側の端よりも浴室側に位置しており、該床パン取付け部２３は断面略矩形枠状の取付け部本体２５と取付け部本体２５の浴室側の縦片２６を下方に延出してなる固定縦片２７とからなる。固定縦片２７は固着具２８により床パン２０の垂下リブ２２に固着されおり、これにより下枠受け部材５は、床パン取付け部２３の上端を床板部２１の下面に当接し、且つ浴室側の側端を垂下リブ２２の脱衣室側の側面に当接した状態で床パン２０に固着されている。
【００２２】
下枠受け部２４は、床パン２０の脱衣室側の端よりも浴室側の部位である床パン取付け部２３の脱衣室側の端部（詳しくは取付け部本体２５の脱衣室側の端部の上下方向中央部）から脱衣室側に突出し且つ床パン２０よりも脱衣室側に突出し且つ床パン２０の上面よりも下方に位置する横片３０と、横片３０の床パン２０よりも脱衣室側に突出した部分である受け横片部３１の床パン２０側の突出基部から床パン２０の脱衣室側の端部の上面付近に至るまで上方に突出した浴室側突部３２と、横片３０（受け横片部３１）の先端部から上方に突出した前記横片３０（受け横片部３１）と別体の脱衣室側突部３３とを有している。そして下枠受け部２４には上記受け横片部３１と浴室側突部３２と脱衣室側突部３３で床パン２０と脱衣室の床３との間の位置で上方に開口する凹部３４を形成してあり、該凹部３４には前述した下枠２の固定部６が、下端（載置リブ１６、載置横片部１８）が受け横片部３１に載置され、立ち上げ片部１９の脱衣室側の側面が脱衣室側突部３３の浴室側の側面（垂直面４０）に当接した状態で嵌め込み固定されている。
【００２３】
上記浴室側突部３２は、受け横片部３１の床パン２０側の突出基部から上方に突出した縦片部３５と、縦片部３５の上端から浴室側に突出した横片部３６とからなる。横片部３６の下面の浴室側の端部は連結片３７を介して床パン取付け部２３の脱衣室側の側面上端部に連結されている。ここで浴室側突部３２の浴室側の側面の上端部は床パン２０の床板部２１の脱衣室側の端面近傍に位置しているものとする。また凹部３４に嵌め込まれた下枠２の固定部６の上端は浴室側突部３２の上端と略同じレベルとなっており、詳しくは固定部６の上端は浴室側突部３２の上端よりもやや上方に位置しており、これにより下枠２の上面と床板部２１の上面とは段差の小さいバリアフリー構造となっている。
【００２４】
また受け横片部３１の突出先端には上方に突出し前記浴室側突部３３に対向する垂上片３８を設けてあり、垂上片３８の上端は浴室側突部３３の上面よりも下方に位置している。
【００２５】
受け横片部３１には脱衣室側突部３３が受け横片部３１の基先方向（幅方向）に移動自在に載置されており、該脱衣室側突部３３は固定手段により受け横片部３１の突出先部の基先方向における任意の位置で固定されている。脱衣室側突部３３の浴室側の側面の下端部は垂直面４０となっており、該脱衣室側突部３３の浴室側の側面の前記垂直面４０を除く部分である上部は上方に行くに従って脱衣室側に位置するように傾斜するガイド傾斜面４１となっている。
【００２６】
固定手段について詳述する。垂上片３８の基端よりも上方位置には雌ねじ孔３９が形成されており、該雌ねじ孔３９には脱衣室側からねじ具４２が螺入されている。雌ねじ孔３９に螺合したねじ具４２の先端部は垂上片３８よりも浴室側に突出しており、該ねじ具４２の先端部は脱衣室側突部３３を浴室側に押圧しており、これにより脱衣室側突部３３の浴室側の側面は下枠２の立ち上げ片部１９（固定部６）を浴室側に押圧している。即ち、本実施形態ではねじ具４２で固定手段を構成している。なお脱衣室側突部３３はねじ具４２の先端に回動自在に取付けてあっても良いものとする。また上記下枠受け部材２４の脱衣室側突部３３以外の部位は一体に形成されているものとする。
【００２７】
また下枠受け部材５の凹部３４に嵌入した固定部６の浴室側の側面と凹部３４の浴室側の内側面との間には下枠２の長手方向全長に亘ってパッキン等の弾性を有する水封止部材４３を圧縮した状態で介在してある。具体的に水封止部材４３は、下枠２の固定部６の浴室側の側面と収納溝部１１の奥面とで受け横片部３１の基先方向に圧縮され、且つ収納溝部１１の上下底面で上下方向に圧縮され、且つ凹部３４の長手方向の両内側面で受け横片部３１の長手方向に圧縮された状態で、収納溝部１１内に収納されている。このように収納溝部１１に収納された水封止部材４３を収納溝部１１の上下底面及び奥面及び長手方向における両側面と凹部３４の浴室側の内側面とで圧縮することで、圧縮された水封止部材４３が収納溝部１１の上下底面及び奥面及び長手方向における両側面と、凹部３４の浴室側の内側面とに押しつけられることとなり、高い防水性を確保できる。なお図示は省略するが下枠２の固定部６の長手方向の両側面と、凹部３４の長手方向の両側面との間にも水封止部材を圧縮した状態で介在させてあっても良いものとする。
【００２８】
ここで下枠２を取付ける前の水封止部材４３は図２に示すように下枠２の固定部６の浴室側の側面に予め貼着されているものとする。即ち図に示すように下枠受け部材５に下枠２が取付けられる前の水封止部材４３はその脱衣室側の半部が前記収納溝部１１に収納されており、水封止部材４３の脱衣室側の半部の上面、下面、脱衣室側の側面の夫々は、収納溝部１１の上底面、下底面、奥面の夫々に当接した状態で収納溝部１１に貼着されている。
【００２９】
下枠受け部材２４に取付けた下枠２の凹溝部１４には長手方向の長さが下枠２と同じである長尺状の化粧カバー４４の脱衣室側の端部に設けたカバー縦片部４５（下枠取付け部）を上方から嵌入してあり、これにより凹溝部１４に化粧カバー４４が取付けられている。該化粧カバー４４は前述したカバー縦片部４５とカバー縦片部４５の上端から浴室側に突出したカバー横片部４６とからなり、断面略逆Ｌ字状に形成されている。化粧カバー４４のカバー横片部４６は下枠２の固定部６から床パン２０の脱衣室側の端部に至るまでの部位の上面を覆っている。なお上記凹溝部１４の両内側面の夫々はひだ状に形成されており、該ひだ状の両内側面の夫々はカバー縦片部４５の両側面の夫々に当接してあって、これによりカバー縦片部４５は凹溝部１４から抜け難くなっている。
【００３０】
次に図２に基づいて上記下枠２の取付けについて説明する。床パン２０に取付けた下枠受け部材２４に下枠２を取付けるにあたっては、図２に示すように、下枠受け部材５の雌ねじ孔３９に螺合したねじ具４２を締めたり緩めたりすることでねじ具４２の先端部の浴室側への突出量を調節し、これにより凹部３４の巾を凹部３４内に下枠２の固定部６を挿入できる程度に調節し、下枠２の固定部６を下枠受け部材５のガイド傾斜面４１によりガイドしながら凹部３４内に嵌め込む。この後、下枠受け部材５の雌ねじ孔３９に螺合したねじ具４２の螺入を進め、これによりねじ具４２の先端部にて受け横片部３１に移動自在に載置された脱衣室側突部３３の脱衣室側の側面が押されて脱衣室側突部３３が浴室側に押し込まれ、立ち上げ片部１９が脱衣室側突部の垂直面４０に押圧され、この状態でねじ具４２によって浴室側に押し込まれた脱衣室側突部３３と浴室側突部３２とで下枠２の固定部６が挟持される。これに伴い、下枠２の固定部６の浴室側の側面に取付けた水封止部材４３は固定部６と浴室側突部３２とによって圧縮される。そして上記のように下枠受け部材２４に下枠２を取付けた後、下枠２の固定横片８を脱衣室の床３に固着すると共に凹溝部１４に化粧カバー４４のカバー縦片部４５を嵌め込んで化粧カバー４４を下枠２に取付けることで、施工が完了する。
【００３１】
上記のように化粧カバー４４にて下枠２の固定部６から床パン２０の脱衣室側の端部に至るまでの部位の上面を覆うことで、下枠２の固定部６と下枠受け部材５の浴室側突部３２との間に形成される隙間Ａ、下枠受け部材５の浴室側突部３２の上面、浴室側突部３２と床パン２０との間に形成される隙間Ｂ、床パン２０（床板部２１）の脱衣室側の端部、の全てを覆い隠すことができ、これにより下枠２を収まり良く取付けることができ、しかもこの場合、下枠２の固定部６と浴室側突部３２とで圧縮された水封止部材４３が隙間Ａから浴室側突部３２の上面側にはみ出たとしても、このはみ出た水封止部材４３を化粧カバー４４で覆うことができる。
【００３２】
また本実施形態では脱衣室側突部３３を固定手段により受け横片部３１の突出先部における基先方向の任意の位置で固定し、該脱衣室側突部３３と上記浴室側突部３２とで下枠２の固定部６を挟持してあるので、下枠２、下枠取付け部５、床パン２０、床３の寸法にばらつきがあったり、また施工誤差がある場合にも、施工者は脱衣室側突部３３を受け横片部３１の基先方向における任意の位置までスライドして固定手段により固定し、この任意の位置で固定された浴室側突部３２と脱衣室側突部３３とで下枠２の固定部６をしっかりと挟持でき、これにより下枠２の固定部６の浴室側の側面と凹部３４の浴室側の内側面との間に介在させた水封止部材４３を確実に圧縮でき、防水性を向上できる。
【００３３】
また受け横片部３１の突出先端部に垂上片３８を立設し、垂上片３８に雌ねじ孔３９を形成し、該雌ねじ孔３９に螺合したねじ具４２の先端で上記脱衣室側突部３３を浴室側に押圧し、該脱衣室側突部３３の浴室側の側面で下枠２の固定部６を浴室側に押圧するといった簡単な構成で脱衣室側突部３３を受け横片部３１の突出先部における基先方向の任意の位置で固定し、脱衣室側突部３３と上記浴室側突部３２とで下枠２の固定部６を挟持することができ、コストを抑えることができる。
【図面の簡単な説明】
【００４２】
【図１】本発明の実施の形態の一例を示すものであり、開口枠の取付け構造を示す側断面図である。
【図２】同上の下枠の取付け前の状態を示す側断面図である。
【符号の説明】
【００４３】
１  開口枠
２  下枠
４  床取付け部
５  下枠受け部材
６  固定部
１１  収納溝部
２０  床パン
３１  受け横片部
３２  浴室側突部
３３  脱衣室側突部
３４  凹部
３８  垂上片
３９  雌ねじ孔
４１  ガイド傾斜面
４２  ねじ具
４３  水封止部材
４４  化粧カバー
６３  水封止部材
【図１】
0003788989.tif 000002
【図２】
0003788989.tif 000003